(57)【要約】【課題】  広画角、高ズーム比でしかも全ズーム範囲にわたり高い光学性能を有するズームレンズを得ること。【解決手段】  物体側から像側へ順に、ズーミングのためには移動しない正の屈折力の第１レンズ群、ズーミングに際して移動する負の屈折力の第２レンズ群、最も像側にあり、ズーミングのためには移動しない正の屈折力の第Ｎレンズ群を有するズームレンズにおいて、前記第１レンズ群は、物体側から像側へ順に、焦点調整のためには移動しない負の屈折力の第１１レンズ群、焦点調整に際して光軸に沿って移動する正の屈折力の第１２レンズ群、焦点調整のためには移動しない正の屈折力の第１３レンズ群から構成され、前記第１レンズ群の焦点距離ｆ１、前記ズームレンズの広角端における焦点距離ｆｗ、無限遠に合焦している状態で無限遠より軸上光束が入射する際の、前記第Ｎレンズ群の広角端における横倍率βｎｗが所定の条件を満足する。【選択図】    図１
2015094865.tif 000002
【特許請求の範囲】
【請求項１】
物体側から像側へ順に、ズーミングのためには移動しない正の屈折力の第１レンズ群、ズーミングに際して移動する負の屈折力の第２レンズ群、最も像側にあり、ズーミングのためには移動しない正の屈折力の第Ｎレンズ群を有するズームレンズにおいて、
前記第１レンズ群は、物体側から像側へ順に、焦点調整のためには移動しない負の屈折力の第１１レンズ群、焦点調整に際して光軸に沿って移動する正の屈折力の第１２レンズ群、焦点調整のためには移動しない正の屈折力の第１３レンズ群から構成され、前記第１レンズ群の焦点距離をｆ１、前記ズームレンズの広角端における焦点距離をｆｗ、無限遠に合焦している状態で無限遠より軸上光束が入射する際の、前記第Ｎレンズ群の広角端における横倍率をβｎｗとしたとき、
１．５＜ｆ１／ｆｗ＜３．５
−２．７０＜βｎｗ＜−１．４５
なる条件を満足することを特徴とするズームレンズ。
【請求項２】
前記第１１レンズ群の焦点距離をｆ１１、前記第１３レンズ群の焦点距離をｆ１３としたとき、
−１．５＜ｆ１１／ｆ１＜−０．９
−１．５＜ｆ１３／ｆ１１＜−０．９
なる条件を満足することを特徴とする請求項１に記載のズームレンズ。
【請求項３】
前記第２レンズ群の焦点距離をｆ２としたとき、
−３．０＜ｆ１／ｆ２＜−１．５
なる条件を満足することを特徴とする請求項１又は２に記載のズームレンズ。
【請求項４】
ズーミングに際して移動する負の屈折力の第３レンズ群を有し、前記第２レンズと前記第３レンズ群の広角端における合成焦点距離をｆ２３としたとき、
−３．０＜ｆ１／ｆ２３＜−１．５
なる条件を満足することを特徴とする請求項１又は２に記載のズームレンズ。
【請求項５】
前記第２レンズ群は、少なくとも１面が非球面で構成されており、前記非球面を正の屈折力の面に適用する場合、光軸から周辺に向かい正の屈折力が強まる形状であり、前記非球面を負の屈折力の面に適用する場合、光軸から周辺に向かい負の屈折力が弱まる形状であることを特徴とする請求項１乃至４のいずれか１項に記載のズームレンズ。
【請求項６】
請求項１乃至５の何れか１項に記載のズームレンズと、
前記ズームレンズによって形成された像を受光する固体撮像素子を有することを特徴とする撮像装置。
【発明の詳細な説明】
【技術分野】
【０００１】
本発明はズームレンズ及びそれを有する撮像装置に関し、例えば放送用テレビカメラ、映画用カメラ、ビデオカメラ、デジタルスチルカメラ、監視用カメラ、銀塩写真用カメラ等に好適なものである。
【背景技術】
【０００２】
近年、テレビカメラ、映画用カメラ、銀塩フィルム用カメラ、デジタルカメラ、ビデオカメラ等の撮像装置には、広画角、高ズーム比でしかも高い光学性能を有したズームレンズが要望されている。広画角、高ズーム比のズームレンズとして、正の屈折力の第１レンズ群、ズーム用の負の屈折力の第２レンズ群、ズームに伴う像面変動補正用の負の屈折力の第３レンズ群、結像用の正の屈折力の第４レンズ群より成る４群ズームレンズが知られている。（特許文献１、２）
特許文献１では、ズーム比８倍程度、広角端の撮影画角８７°程度であるズームレンズが開示されている。特許文献２では、ズーム比２．９倍程度、広角端の撮影画角９４°程度であるズームレンズが開示されている。
【先行技術文献】
【特許文献】
【０００３】
【特許文献１】特開平９−１５５０１号公報
【特許文献２】特開２００４−３４１２３７号公報
【発明の概要】
【発明が解決しようとする課題】
【０００４】
前述した構成の４群ズームレンズは、広画角化が比較的容易であるが、この４群ズームレンズで高い光学性能と小型化を両立するためには、レンズの屈折力配置を適切に設定することが重要である。特に最も物体側のレンズ群は軸外の光束が最も光軸から離れた位置を通過するため、光学性能と小型化を両立するためには、最も物体側のレンズ群の屈折力や構成を適切に設定することが重要となる。また、最も像側のレンズ群は、それより物体側のレンズ全体の大きさを決定する役割があるため、光学性能と小型化を両立するためには、最も像側のレンズ群の横倍率を適切に設定することが重要となる。これらを適切に設定しないと広画角且つ高ズーム比で全ズーム範囲に渡り高い光学性能のズームレンズを得るのが難しくなる。
【０００５】
特許文献１、２に開示されているズームレンズでは、テレビカメラ用の比較的小さな撮像素子を想定しており、近年大型化している撮像素子に適用すると、レンズも素子の拡大に比例し大型化する。
【０００６】
本発明は広画角、高ズーム比でしかも全ズーム範囲にわたり高い光学性能を有し、良好なズーム動作を持つズームレンズ及びそれを有する撮像装置の提供を目的とする。
【課題を解決するための手段】
【０００７】
本発明のズームレンズは、物体側から像側へ順に、ズーミングのためには移動しない正の屈折力の第１レンズ群、ズーミングに際して移動する負の屈折力の第２レンズ群、最も像側にあり、ズーミングのためには移動しない正の屈折力の第Ｎレンズ群を有するズームレンズにおいて、前記第１レンズ群は、物体側から像側へ順に、焦点調整のためには移動しない負の屈折力の第１１レンズ群、焦点調整に際して光軸に沿って移動する正の屈折力の第１２レンズ群、焦点調整のためには移動しない正の屈折力の第１３レンズ群から構成され、前記第１レンズ群の焦点距離をｆ１、前記ズームレンズの広角端における焦点距離をｆｗ、無限遠に合焦している状態で無限遠より軸上光束が入射する際の、前記第Ｎレンズ群の広角端における横倍率をβｎｗとしたとき、
１．５＜ｆ１／ｆｗ＜３．５
−２．７０＜βｎｗ＜−１．４５
なる条件を満足することを特徴としている。
【発明の効果】
【０００８】
本発明によれば、広画角、高ズーム比でしかも全ズーム範囲にわたり高い光学性能を有するズームレンズ及びそれを有する撮像装置が得られる。
【図面の簡単な説明】
【０００９】
【図１】数値実施例１の広角端において無限遠物体に合焦したときのレンズ断面図
【図２】（Ａ）、（Ｂ）、（Ｃ）数値実施例１の広角端、ズーム中間、望遠端で無限遠物体に合焦したときの収差図
【図３】数値実施例２の広角端において無限遠物体に合焦したときのレンズ断面図
【図４】（Ａ）、（Ｂ）、（Ｃ）数値実施例２の広角端、ズーム中間、望遠端で無限遠物体に合焦したときの収差図
【図５】数値実施例３の広角端において無限遠物体に合焦したときのレンズ断面図
【図６】（Ａ）、（Ｂ）、（Ｃ）数値実施例３の広角端、ズーム中間、望遠端で無限遠合焦したときの収差図
【図７】数値実施例４の広角端において無限遠物体に合焦したときのレンズ断面図
【図８】（Ａ）、（Ｂ）、（Ｃ）数値実施例４の広角端、ズーム中間、望遠端で無限遠合焦したときの収差図
【図９】数値実施例５の広角端において無限遠物体に合焦したときのレンズ断面図
【図１０】（Ａ）、（Ｂ）、（Ｃ）数値実施例５の広角端、ズーム中間、望遠端で無限遠合焦したときの収差図
【図１１】数値実施例６の広角端において無限遠物体に合焦したときのレンズ断面図
【図１２】（Ａ）、（Ｂ）、（Ｃ）数値実施例６の広角端、ズーム中間、望遠端で無限遠合焦したときの収差図
【図１３】本発明の撮像装置の要部概略図
【発明を実施するための形態】
【００１０】
以下には、本発明の実施の形態を添付の図面に基づいて詳細に説明する。実施例１〜５に記載の本発明のズームレンズは、物体側から像側へ順に、ズーミングのためには移動しない正の屈折力の第１レンズ群を有する。更にズーミングに際して移動する負の屈折力の第２レンズ群、ズーミングに際して移動する負の屈折力の第３レンズ群、ズーミングのためには移動しない正の屈折力の第４レンズ群から構成されている。
【００１１】
実施例６に記載の本発明のズームレンズは、物体側から像側へ順に、ズーミングのためには移動しない正の屈折力の第１レンズ群を有する。更にズーミングに際して移動する負の屈折力の第２レンズ群、ズーミングに際して移動する負の屈折力の第３レンズ群、ズーミングに際して移動する負の屈折力の第４レンズ群、ズーミングのためには移動しない正の屈折力の第５レンズ群から構成されている。
【００１２】
ここでレンズ群がズーミングのためには移動しないというのは、レンズ群がズーミングを行う目的で駆動されることは無いが、ズーミングとフォーカシングとを同時に行う場合があれば、ズーミング中であってもフォーカシングのために移動することはあり得るということである。
【００１３】
図１は本発明の実施例１（数値実施例１）のズームレンズの広角端（焦点距離、ｆ＝１８．００ｍｍ）で無限遠物体に合焦しているときのレンズ断面図である。図２（Ａ）（Ｂ）（Ｃ）は数値実施例１の広角端、ズーム中間（焦点距離、ｆ＝６３．００ｍｍ）、望遠端（焦点距離、ｆ＝１８０．００ｍｍ）における無限遠物体に合焦しているときの収差図である。但し、焦点距離は数値実施例の値をｍｍ単位で表したときの値である。これは以下の各実施例において全て同じである。
【００１４】
図３は本発明の実施例２（数値実施例２）のズームレンズの広角端（焦点距離、ｆ＝１５．００ｍｍ）で無限遠物体に合焦しているときのレンズ断面図である。図４（Ａ）（Ｂ）（Ｃ）は数値実施例１の広角端、ズーム中間（焦点距離、ｆ＝３５．００ｍｍ）、望遠端（焦点距離、ｆ＝７５．００ｍｍ）における無限遠物体に合焦しているときの収差図である。
【００１５】
図５は本発明の実施例３（数値実施例３）のズームレンズの広角端（焦点距離、ｆ＝２０．００ｍｍ）で無限遠物体に合焦しているときのレンズ断面図である。図６（Ａ）（Ｂ）（Ｃ）は数値実施例１の広角端、ズーム中間（焦点距離、ｆ＝６０．００ｍｍ）、望遠端（焦点距離、ｆ＝１６０．００ｍｍ）における無限遠物体に合焦しているときの収差図である。
【００１６】
図７は本発明の実施例４（数値実施例４）のズームレンズの広角端（焦点距離、ｆ＝１９．００ｍｍ）で無限遠物体に合焦しているときのレンズ断面図である。図８（Ａ）（Ｂ）（Ｃ）は数値実施例１の広角端、ズーム中間（焦点距離、ｆ＝４５．００ｍｍ）、望遠端（焦点距離、ｆ＝９５．００ｍｍ）における無限遠物体に合焦しているときの収差図である。
【００１７】
図９は本発明の実施例５（数値実施例５）のズームレンズの広角端（焦点距離、ｆ＝１４ｍｍ）で無限遠物体に合焦しているときのレンズ断面図である。図１０（Ａ）（Ｂ）（Ｃ）は数値実施例１の広角端、ズーム中間（焦点距離、ｆ＝２８．００ｍｍ）、望遠端（焦点距離、ｆ＝５６．００ｍｍ）における無限遠物体に合焦しているときの収差図である。
【００１８】
図１１は本発明の実施例６（数値実施例６）のズームレンズの広角端（焦点距離、ｆ＝１８．５０ｍｍ）で無限遠物体に合焦しているときのレンズ断面図である。図１２（Ａ）（Ｂ）（Ｃ）は数値実施例１の広角端、ズーム中間（焦点距離、ｆ＝４５．００ｍｍ）、望遠端（焦点距離、ｆ＝１２０．２５ｍｍ）における無限遠物体に合焦しているときの収差図である。
【００１９】
図１３は本発明の撮像装置の要部概略図である。
【００２０】
各レンズ断面図において、左方が被写体（物体）側（前方）で、右方が像側（後方）である。レンズ断面図において、Ｕ１はズーミングのためには移動しない正の屈折力の第１レンズ群（前玉レンズ群）である。Ｕ１１は第１レンズ群Ｕ１中のフォーカスレンズ群であり、無限遠物体から近距離物体へのフォーカスに際して像側へ移動する。Ｕ１１、Ｕ１３は第１レンズ群Ｕ１中のフォーカスのためには移動しない固定レンズ群である。図１、３、５、７、９（実施例１〜５）において、Ｕ２、Ｕ３はズーミングに際して移動する負の屈折力の第２、第３レンズ群であり、Ｕ２及びＵ３の２つのレンズ群でズーム系（変倍群）を構成している。Ｕ４はズーミングのためには移動しない結像作用をする正の屈折力の第４レンズ群（リレーレンズ群）である。図１１（実施例６）において、Ｕ２、Ｕ３、Ｕ４はズーミングに際して移動する負の屈折力の第２、第３、第４レンズ群であり、Ｕ２〜Ｕ４の３つのレンズ群でズーム系（変倍群）を構成している。Ｕ５はズーミングのためには移動しない結像作用をする正の屈折力の第５レンズ群（リレーレンズ群）である。
【００２１】
ＳＰは絞り（開口絞り）である。Ｉは撮像面であり、放送用テレビカメラ、映画用カメラ、ビデオカメラ、デジタルスチルカメラの撮像光学系として使用する際には、ズームレンズで形成された像を受光し、光電変換する固体撮像素子（光電変換素子）等の撮像面に相当している。フィルム用カメラの撮像光学系として使用する際には、ズームレンズで形成された像が感光するフィルム面に相当する。
【００２２】
収差図において、球面収差における直線と二点鎖線と一点鎖線と破線は各々ｅ線、ｇ線、Ｃ線、Ｆ線である。非点収差における破線と実線は各々メリディオナル像面，サジタル像面であり、倍率色収差における二点鎖線と一点鎖線と破線は各々ｇ線、Ｃ線、Ｆ線である。ωは半画角、ＦｎｏはＦナンバーである。尚、以下の各実施例においてズーム用のレンズ群が最も短焦点側の配置となった場合を広角端、最も長焦点側の配置となった場合を望遠端という。
【００２３】
各実施例において、本発明のズームレンズは、物体側から像側へ順に、ズーミングのためには移動しない正の屈折力の第１レンズ群Ｕ１、ズーミングに際して移動する負の屈折力の第２レンズ群Ｕ２、最も像側にズーミングのためには移動しない正の屈折力の第Ｎレンズ群ＵＮを有する。第１レンズ群Ｕ１は、物体側から像側へ順に、焦点調整のためには移動しない負の屈折力の第１１レンズ群Ｕ１１、焦点調整の際に光軸に沿って移動する正の屈折力の第１２レンズ群Ｕ１２、焦点調整のためには移動しない正の屈折力の第１３レンズ群Ｕ１３から構成される。第１レンズ群Ｕ１の焦点距離をｆ１、全系（ズームレンズ）の広角端の焦点距離をｆｗ、無限遠より光束が入射する際の第Ｎレンズ群ＵＮの横倍率をβｎｗとすると、
１．５＜ｆ１／ｆｗ＜３．５                ・・・（１）
−２．７０＜βｎｗ＜−１．４５            ・・・（２）
なる条件を満足している。
【００２４】
条件式（１）は、第１レンズ群Ｕ１の焦点距離と広角端の焦点距離の比を規定している。各実施例のズームレンズでは、第１レンズ群Ｕ１の焦点距離が高い光学性能と小型化を両立するために重要な要素となっている。条件式（１）を満足することにより、広角端において第１レンズ群Ｕ１を通過する軸外の光束の高さを規定し、レンズの大型化を抑制しつつ、諸収差を良好に補正することが可能となる。
【００２５】
条件式（１）の上限の条件が満たされないと、第１レンズ群Ｕ１の屈折力が小さくなり、第１レンズ群Ｕ１を通過する軸外の光束の高さが高くなることで、レンズが大型化してしまう。条件式（１）の下限の条件が満たされないと、第１レンズ群Ｕ１の屈折力が大きくなり、特に望遠側における色収差及び諸収差の補正が困難となる。
【００２６】
条件式（２）は、第Ｎレンズ群ＵＮの横倍率を規定している。各実施例のズームレンズでは、レンズの大型化や製造誤差が性能に与える影響を抑制するために、第Ｎレンズ群ＵＮの横倍率を適切に設定している。条件式（２）を満足することにより、レンズの大型化を抑制しつつ、製造性の良いズームレンズを得ることが可能となる。
【００２７】
条件式（２）の上限の条件が満たされないと、第Ｎレンズ群ＵＮより前のレンズの大型化に繋がり、特に第１レンズ群Ｕ１の有効径が大きくなってしまう。条件式（２）の下限の条件が満たされないと、第Ｎレンズ群ＵＮより前のレンズの拡大率が大きくなり、諸収差の補正、特に望遠側における色収差の補正が困難となる。また、製造誤差が性能に与える影響が大きくなるため、製造バラツキによる性能低下が大きくなる。
【００２８】
更に好ましくは条件式（１）〜（２）の数値範囲を次の如く設定するのが良い。
２．０＜ｆ１／ｆｗ＜２．７                ・・・（１ａ）
−２．４０＜βｎｗ＜−１．５５            ・・・（２ａ）
以上の各条件を満たすことにより、本発明の各実施例はズーム全域において収差補正が良好に補正された、小型、軽量なズームレンズを得ている。
【００２９】
各実施例において、更に好ましくは、第１１レンズ群Ｕ１１の焦点距離をｆ１１、第１３レンズ群Ｕ１３の焦点距離をｆ１３としたとき、
−１．５＜ｆ１１／ｆ１＜−０．９          ・・・（３）
−１．５＜ｆ１３／ｆ１１＜−０．９        ・・・（４）
なる条件を満足するのが良い。
【００３０】
条件式（３）は、第１レンズ群Ｕ１と第１１レンズ群Ｕ１１の焦点距離の比を規定している。
【００３１】
条件式（３）の上限の条件が満たされないと、第１１レンズ群Ｕ１１の焦点距離が相対的に短くなるため、広角側のズームに伴う軸外諸収差の変動抑制、特に歪曲や像面湾曲の抑制が困難となる。条件式（３）の下限の条件が満たされないと、第１レンズ群Ｕ１１の焦点距離が相対的に長くなるため、第１レンズ群Ｕ１のレンズ径が大きくなり広角化が困難となる。また、フォーカシング時の画界変化の抑制も困難となる。
【００３２】
条件式（３）は、第１１レンズ群Ｕ１１と第１３レンズ群Ｕ１３の焦点距離の比を規定している。
【００３３】
条件式（３）の上限の条件が満たされないと、第１１レンズ群Ｕ１１の焦点距離が相対的に長くなることで第１レンズ群Ｕ１の主点を像側に近付けることが困難となり、第１レンズ群Ｕ１のレンズ径が大きくなり広角化が困難となる。条件式（３）の下限の条件が満たされないと、第１１レンズ群Ｕ１１の焦点距離が相対的に短くなることで第１１レンズ群Ｕ１１のレンズ枚数増加に繋がり、第１レンズ群Ｕ１のレンズ径が大きくなり広角化が困難となる。
【００３４】
実施例１〜５において更に好ましくは、第２レンズ群Ｕ２の焦点距離をｆ２としたとき、
−３．０＜ｆ１／ｆ２＜−１．５            ・・・（５）
なる条件を満足するのが良い。
【００３５】
条件式（５）は、第１レンズ群Ｕ１と第２レンズ群Ｕ２の焦点距離の比を規定している。
【００３６】
条件式（５）の上限の条件が満たされないと、第１レンズ群Ｕ１の焦点距離が相対的に短くなるため、諸収差の補正、特に望遠側における色収差の補正が困難となる。また、製造誤差が性能に与える影響が大きくなるため、製造バラツキによる性能低下が大きくなる。
【００３７】
条件式（５）の上限の条件が満たされないと、第１レンズ群Ｕ１の焦点距離が相対的に短くなるため、諸収差の補正、特に望遠側における色収差の補正が困難となる。また、製造誤差が性能に与える影響が大きくなるため、製造バラツキによる性能低下が大きくなる。
【００３８】
実施例６において更に好ましくは、ズーミングのために移動する負の屈折力の第３レンズ群Ｕ３を有し、第２レンズＵ２と第３レンズ群Ｕ３の広角端における合成焦点距離をｆ２３としたとき、
−３．０＜ｆ１／ｆ２３＜−１．５          ・・・（６）
なる条件を満足するのが良い。
【００３９】
条件式（６）は、第１レンズ群Ｕ１と第２レンズ群Ｕ２と第３レンズ群Ｕ３の広角端における合成焦点距離ｆ２３の比を規定している。
【００４０】
条件式（６）の上限の条件が満たされないと、第１レンズ群Ｕ１の焦点距離が相対的に短くなるため、諸収差の補正、特に望遠側における色収差の補正が困難となる。また、製造誤差が性能に与える影響が大きくなるため、製造バラツキによる性能低下が大きくなる。
【００４１】
条件式（６）の上限の条件が満たされないと、第１レンズ群Ｕ１の焦点距離が相対的に短くなるため、諸収差の補正、特に望遠側における色収差の補正が困難となる。また、製造誤差が性能に与える影響が大きくなるため、製造バラツキによる性能低下が大きくなる。
【００４２】
各実施例において更に好ましくは、第２レンズ群Ｕ２は、少なくとも１面が非球面で構成されており、正の屈折力の面に適用する場合、光軸から周辺に向かい正の屈折力が強まる形状であり、負の屈折力の面に適用する場合、光軸から周辺に向かい負の屈折力が弱まる形状であるのが良い。これにより、広角側の軸外諸収差の抑制、特に歪曲と像面湾曲のズーム変動の補正が容易となる。
【００４３】
更に好ましくは条件式（３）〜（６）の数値範囲を次の如く設定するのが良い。
−１．３０＜ｆ１１／ｆ１＜−１．１０      ・・・（３ａ）
−１．３５＜ｆ１３／ｆ１１＜−１．１０    ・・・（４ａ）
−２．０５＜ｆ１／ｆ２＜−１．６０        ・・・（５ａ）
−２．０５＜ｆ１／ｆ２３＜−１．６０      ・・・（６ａ）
【００４４】
次に各実施例のレンズ構成の特徴について説明する。
【００４５】
第１実施例において、第１レンズ群Ｕ１は第１レンズ面〜第２１レンズ面に対応する。第２レンズ群Ｕ２は第２２レンズ面〜第３１レンズ面に対応する。第３レンズ群Ｕ３は第３２レンズ面〜第３４レンズ面に対応する。第４レンズ群Ｕ４は第３６レンズ面〜第５３レンズ面に対応する。
【００４６】
広角端から望遠端へのズーミングに際して、第２レンズ群Ｕ２は像側へ直線的に移動するとき、第３レンズ群Ｕ３は物体側に凸の軌跡を描きながら略往復移動する。
【００４７】
後述する表１に示すように数値実施例１は条件式（１）〜（５）の何れの条件式も満足しており、１０．００倍の高ズーム比で広角端における撮影画角（画角）８１．６５°と広画角化を達成している。且つズーム全域において諸収差を良好に補正した高い光学性能を得ている。
【００４８】
第２実施例において、第１レンズ群Ｕ１は第１レンズ面〜第１８レンズ面に対応する。第２レンズ群Ｕ２は第１９レンズ面〜第２５レンズ面に対応する。第３レンズ群Ｕ３は第２６レンズ面〜第２８レンズ面に対応する。第４レンズ群Ｕ４は第３０レンズ面〜第４８レンズ面に対応する。
【００４９】
広角端から望遠端へのズーミングに際して、第２レンズ群Ｕ２は像側へ直線的に移動するとき、第３レンズ群Ｕ３は物体側に凸の軌跡を描きながら略往復移動する。
【００５０】
後述する表１に示すように数値実施例２は条件式（１）〜（５）の何れの条件式も満足しており、５．００倍の高ズーム比で広角端における撮影画角（画角）９２．０６°と広画角化を達成している。且つズーム全域において諸収差を良好に補正した高い光学性能を得ている。
【００５１】
第３実施例において、第１レンズ群Ｕ１は第１レンズ面〜第１８レンズ面に対応する。第２レンズ群Ｕ２は第１９レンズ面〜第２７レンズ面に対応する。第３レンズ群Ｕ３は第２８レンズ面〜第３０レンズ面に対応する。第４レンズ群Ｕ４は第３２レンズ面〜第５１レンズ面に対応する。
【００５２】
広角端から望遠端へのズーミングに際して、第２レンズ群Ｕ２は像側へ直線的に移動するとき、第３レンズ群Ｕ３は物体側に凸の軌跡を描きながら略往復移動する。
【００５３】
後述する表１に示すように数値実施例３は条件式（１）〜（５）の何れの条件式も満足しており、８．００倍の高ズーム比で広角端における撮影画角（画角）７５．７３°と広画角化を達成している。且つズーム全域において諸収差を良好に補正した高い光学性能を得ている。
【００５４】
第４実施例において、第１レンズ群Ｕ１は第１レンズ面〜第１５レンズ面に対応する。第２レンズ群Ｕ２は第１６レンズ面〜第２３レンズ面に対応する。第３レンズ群Ｕ３は第２４レンズ面〜第２６レンズ面に対応する。第４レンズ群Ｕ４は第２８レンズ面〜第４５レンズ面に対応する。
【００５５】
広角端から望遠端へのズーミングに際して、第２レンズ群Ｕ２は像側へ直線的に移動するとき、第３レンズ群Ｕ３は物体側に凸の軌跡を描きながら略往復移動する。
【００５６】
後述する表１に示すように数値実施例４は条件式（１）〜（５）の何れの条件式も満足しており、５．００倍の高ズーム比で広角端における撮影画角（画角）７８．６０°と広画角化を達成している。且つズーム全域において諸収差を良好に補正した高い光学性能を得ている。
【００５７】
第５実施例において、第１レンズ群Ｕ１は第１レンズ面〜第１９レンズ面に対応する。第２レンズ群Ｕ２は第２０レンズ面〜第２７レンズ面に対応する。第３レンズ群Ｕ３は第２８レンズ面〜第３０レンズ面に対応する。第４レンズ群Ｕ４は第３２レンズ面〜第４８レンズ面に対応する。
【００５８】
広角端から望遠端へのズーミングに際して、第２レンズ群Ｕ２は像側へ直線的に移動するとき、第３レンズ群Ｕ３は物体側に凸の軌跡を描きながら略往復移動する。
【００５９】
後述する表１に示すように数値実施例５は条件式（１）〜（５）の何れの条件式も満足しており、４．００倍の高ズーム比で広角端における撮影画角（画角）９６．００°と広画角化を達成している。且つズーム全域において諸収差を良好に補正した高い光学性能を得ている。
【００６０】
第６実施例において、第１レンズ群Ｕ１は第１レンズ面〜第２１レンズ面に対応する。第２レンズ群Ｕ２は第２２レンズ面〜第２６レンズ面に対応する。第３レンズ群Ｕ３は第２７レンズ面〜第３０レンズ面に対応する。第４レンズ群Ｕ４は第３１レンズ面〜第３３レンズ面に対応する。第５レンズ群Ｕ５は第３５レンズ面〜第５２レンズ面に対応する。
【００６１】
広角端から望遠端へのズーミングに際して、第２レンズ群Ｕ２は像側へ直線的に移動するとき、第３レンズ群Ｕ３も像側へ略直線的に移動する。第２レンズ群Ｕ２と第３レンズ群Ｕ３の間隔は広角端から望遠端へのズーミング際して間隔が広がる方向に移動し、第４レンズ群Ｕ４は物体側に凸の軌跡を描きながら略往復移動する。
【００６２】
後述する表１に示すように数値実施例６は条件式（１）〜（４）及び（６）の何れの条件式も満足しており、６．５０倍の高ズーム比で広角端における撮影画角（画角）８０．１０°と広画角化を達成している。且つズーム全域において諸収差を良好に補正した高い光学性能を得ている。
【００６３】
以上のように各実施例によれば、各レンズ群の屈折力配置やズーム用の移動レンズ群の移動軌跡等を適切に規定している。これにより、高ズーム比化と広画角化を両立しつつ、諸収差を良好に補正したズームレンズを得ている。
【００６４】
図１３は実施例１〜６のズームレンズを撮影光学系として用いた撮像装置（テレビカメラシステム）の要部概略図である。図１３において１０１は実施例１〜６のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、ズーム部ＬＺ、結像用の第Ｎレンズ群Ｒを有している。第１レンズ群Ｆはフォーカシングに際して光軸上を移動するフォーカス用レンズ群Ｕ１２、フォーカシングのためには移動しないレンズ群Ｕ１１、Ｕ１３が含まれている。
【００６５】
ズーム部ＬＺは実施例１〜６のズーミングに際して光軸上を移動する第２レンズ群Ｕ２、第３レンズ群Ｕ３と、ズーミングのためには移動しない最も像側の第Ｎレンズ群Ｕ４が含まれている。ＳＰは開口絞りである。１１４、１１５は各々第１２レンズ群Ｕ１２、ズーム部ＬＺを光軸方向に駆動するヘリコイドやカム等の駆動機構である。
【００６６】
１１６〜１１８は駆動機構１１４、１１５および開口絞りＳＰを電動駆動するモータ（駆動手段）である。１１９〜１２１は、第１２レンズ群Ｕ１２やズーム部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタに相当するガラスブロック、１１０はズームレンズ１０１によって形成された被写体像を受光するＣＣＤセンサやＣＭＯＳセンサ等の固体撮像素子（光電変換素子）である。
【００６７】
また、１１１、１２２はカメラ１２４及びズームレンズ１０１の各種の駆動を制御するＣＰＵである。このように本発明のズームレンズをテレビカメラに適用することにより、高い光学性能を有する撮像装置を実現している。
【００６８】
以上、本発明の好ましい実施例について説明したが、本発明はこれらの実施例に限定されないことはいうまでもなく、その要旨の範囲内で種々の変形及び変更が可能である。
【００６９】
以下に本発明の実施例１〜６に対する数値実施例１〜６を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉ，νｄｉは第ｉ番目の光学部材の屈折率とアッベ数である。非球面は面番号の横に＊印を付けている。各実施例と前述した条件式との対応を表１に示す。
【００７０】
非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２、Ａ１４、Ａ１６をそれぞれ非球面係数としたとき、次式で表している。また、「ｅ−Ｚ」は「×１０-Z」を意味する。
【００７１】
【数１】
2015094865.tif 000003
【００７２】
実施例１〜５はズーミングに際して移動するレンズ群が２つであるため、片方の移動軌跡が決定されると他方の移動軌跡も決定する。しかし、実施例６はズーミングに際して移動するレンズ群が３つであるため、１つのレンズ群の移動軌跡を決定しても他の２つのレンズ群の移動軌跡を一意には決定することができない。よって、実施例６は第２レンズ群と第３レンズ群の移動軌跡を示している。
【００７３】
移動軌跡はｊをレンズ群の番号とし、光軸方向への移動量をｆｊ（ｙ）、光の進行方向を正、ｙは広角端から望遠端までの移動量を１として示し、Ｂｊ１、Ｂｊ２、Ｂｊ３、Ｂｊ４、Ｂｊ５、Ｂｊ６をそれぞれ移動係数としたとき、次式で表している。
【００７４】
【数２】
2015094865.tif 000004
【００７５】
数値実施例１
単位 mm
面データ
面番号      r         d        nd        vd       θgF     有効径   焦点距離
1*     107.07477   3.50000  1.772499   49.60    0.5521     94.999    -94.002
2       42.77453  29.44657                                 74.747           
3     -111.18408   2.00000  1.772499   49.60    0.5521     74.020    -86.187
4      169.27879   0.19853                                 73.831           
5      111.15261   6.53424  1.959060   17.47    0.6599     74.684    162.844
6      362.57244   4.83576                                 74.310           
7*     402.11683   9.52789  1.620411   60.29    0.5426     73.646    143.795
8     -114.18218   7.22051                                 73.330           
9      273.53589  11.14023  1.496999   81.54    0.5374     67.740    131.565
10      -85.09102   1.32713                                 67.551           
11      -74.32274   2.00000  1.805181   25.42    0.6161     67.398   -164.470
12     -169.44313   1.00002                                 68.351           
13     2516.57481   1.80000  1.850259   32.27    0.5929     68.012    -98.133
14       81.30733  11.18444  1.438750   94.93    0.5343     67.555    149.790
15     -332.76941   0.20010                                 67.981           
16     7491.62170   5.08975  1.496999   81.54    0.5374     68.578    390.027
17     -199.54524   0.20000                                 69.118           
18     1595.58460   5.39098  1.595220   67.74    0.5442     69.947    305.715
19     -205.94799   0.20000                                 70.201           
20      216.17076  10.28079  1.730000   49.00    0.5575     70.182    104.355
21     -116.13168    (可変)                                 69.897           
22*      50.60782   1.00000  1.882997   40.76    0.5667     31.807    -41.311
23       21.07209   6.61768                                 27.724           
24      -79.54129   1.00000  1.754998   52.32    0.5476     27.582    -47.508
25       66.22881   0.99806                                 26.863           
26       48.90892   4.02300  1.882210   23.78    0.6036     26.802     40.333
27     -130.21404   1.94929                                 26.376           
28      -37.12529   1.00000  1.618000   63.33    0.5441     26.194    -55.128
29      438.13751   0.20000                                 25.725           
30       34.72260   1.88615  1.613397   44.30    0.5633     25.302    287.073
31       42.29949    (可変)                                 24.759           
32      -46.20252   1.00000  1.696797   55.53    0.5433     22.167    -45.199
33      101.17257   2.21450  1.808095   22.76    0.6307     23.128    112.579
34     -994.45522    (可変)                                 23.547           
35(絞り)    ∞      1.29695                                 28.883           
36      143.50842   4.48049  1.816000   46.62    0.5568     29.930     47.136
37      -52.16988   0.20000                                 30.182           
38       52.13637   6.23615  1.487490   70.23    0.5300     29.349     48.593
39      -41.96851   1.20000  2.000690   25.46    0.6133     28.856    -39.407
40      781.32347   0.19891                                 28.725           
41       22.82507   9.56381  1.516330   64.14    0.5352     28.572     29.895
42      -41.33452   1.00000  1.834000   37.16    0.5775     27.399    -26.832
43       50.02430   6.99907                                 25.923           
44      386.69864   3.99920  1.487490   70.23    0.5300     25.416     67.610
45      -36.04126   1.08491                                 25.291           
46       34.86509   4.96949  1.922860   20.88    0.6282     22.498     20.574
47      -39.79509   0.90000  1.882997   40.76    0.5667     21.517    -18.496
48       28.27246   8.88270                                 18.955           
49       37.01797   4.62848  1.438750   94.93    0.5343     16.005     25.301
50      -15.30482   1.00000  1.953750   32.32    0.5898     15.736    -12.619
51       60.19086   2.75426                                 16.455           
52       45.70173   3.00473  1.620411   60.29    0.5426     18.630     48.353
53      -86.09140  50.07000                                 18.983           
像面        ∞   
非球面データ
第1面
K = 1.92497e+000  A 4= 1.92902e-009  A 6= 6.26259e-011  A 8=-9.53828e-014  A10= 6.21216e-017  A12=-2.17747e-020  A14= 3.29927e-024  A16=-2.10130e-028  
第7面
K =-2.29488e+001  A 4=-4.72874e-007  A 6= 4.95024e-011  A 8= 4.20753e-014  A10=-7.75550e-017  A12= 9.10273e-020  A14=-5.11370e-023  A16= 1.17437e-026  
第22面
K = 5.48442e-001  A 4= 1.59884e-007  A 6=-3.77659e-009  A 8= 1.79255e-011  A10=-4.48568e-014  A12=-3.70888e-016  A14= 2.09083e-018  A16=-2.91328e-021  
各種データ
ズーム比     10.00 
広角     中間     望遠
焦点距離      18.00    63.00   180.00  
Fナンバー      4.00     4.00     4.95  
半画角        40.82    13.86     4.94  
像高          15.55    15.55    15.55  
レンズ全長   320.10   320.10   320.10  
BF            50.07    50.07    50.07  
d21            0.70    45.74    65.06  
d31           60.47     8.62     6.48  
d34           11.50    18.30     1.12  
入射瞳位置    57.50   105.61   175.05  
射出瞳位置   -33.80   -33.80   -33.80  
前側主点位置  71.63   121.28   -31.27  
後側主点位置  32.07   -12.93  -129.93  
ズームレンズ群データ
群  始面    焦点距離  レンズ構成長  前側主点位置  後側主点位置
1    1      57.00       113.08        71.51         43.38
2   22     -26.70        18.67         3.98         -9.70
3   32     -76.10         3.21        -0.16         -1.98
4   35      31.05        62.40       -11.09        -41.97
【００７６】
数値実施例２
単位 mm
面データ
面番号      r         d        nd        vd       θgF     有効径   焦点距離
1*      86.96069   2.80000  1.772499   49.60    0.5521     99.506    -85.846
2       37.19554  28.65314                                 72.568            
3      287.18991   2.20000  1.772499   49.60    0.5521     71.378   -151.018
4       82.96532   9.79457                                 68.012            
5      233.30951   2.20000  1.772499   49.60    0.5521     67.303    -81.001
6       49.32285   9.90654  1.922860   18.90    0.6495     64.827     83.114
7      122.07948   4.11145                                 64.165            
8      174.57379   7.40358  1.496999   81.54    0.5374     63.832    170.294
9*    -162.88781  10.55549                                 63.329            
10      219.22560  11.10101  1.618000   63.33    0.5441     61.797     87.081
11      -70.29224   0.51997                                 61.501            
12      -90.66362   2.00000  1.805181   25.42    0.6161     58.344    -51.316
13       77.98219   9.18481  1.496999   81.54    0.5374     56.765    117.857
14     -228.82556   0.21692                                 57.161            
15      229.51464  10.00000  1.595220   67.74    0.5442     57.792     89.884
16      -68.94195   0.20000                                 57.805            
17       57.54531   5.56934  1.730000   49.00    0.5575     50.901    114.868
18      174.06610    (可変)                                 50.045            
19*     222.99988   1.30000  1.772499   49.60    0.5521     29.397    -31.652
20       22.07423   8.73811                                 24.622            
21      -46.00024   0.90000  1.772499   49.60    0.5521     21.288    -21.359
22       26.14240   4.04203  1.846660   23.78    0.6034     21.985     24.438
23      -96.70044   2.91044                                 22.088            
24      -20.39226   0.90000  1.800999   34.97    0.5863     22.088    -89.160
25      -29.02640    (可変)                                 23.053            
26      -33.53567   0.90000  1.729157   54.68    0.5444     23.727    -29.601
27       62.00299   2.73134  1.846660   23.78    0.6205     25.908     73.336
28     5426.95120    (可変)                                 26.494            
29(絞り)    ∞      1.04258                                 27.557            
30      144.60763   5.80564  1.834807   42.71    0.5642     29.049     38.100
31      -40.31316   0.20000                                 29.778            
32      140.01330   2.90947  1.570989   50.80    0.5588     29.573    116.796
33     -127.51474   0.20000                                 29.431            
34       62.82013   7.44444  1.496999   81.54    0.5374     28.583     43.611
35      -31.93064   1.20000  2.000690   25.46    0.6133     27.614    -30.706
36     1097.65571   0.20000                                 27.561            
37       27.33320   3.43062  1.531717   48.84    0.5630     27.568    130.948
38       42.89669  17.98679                                 26.842            
39      -77.25420   4.44564  1.487490   70.23    0.5300     23.060    306.323
40      -51.93660  20.78154                                 22.786            
41       72.70188   7.72582  1.487490   70.23    0.5300     25.172     30.867
42      -18.39119   0.85000  1.953750   32.32    0.5898     25.094    -21.994
43     -145.10189   2.61020                                 27.091            
44      837.85153   6.19253  2.102050   16.77    0.6721     29.071     32.378
45      -37.66305   0.85000  2.000690   25.46    0.6133     29.817    -29.178
46      136.96902   0.19086                                 30.863            
47       42.04543   7.61002  1.487490   70.23    0.5300     32.756     52.334
48      -61.55333  33.54000                                 33.050            
像面        ∞   
非球面データ
第1面
K = 1.16599e+000  A 4= 2.14949e-007  A 6=-3.88534e-011  A 8= 1.50332e-014  
第9面
K =-9.49193e+000  A 4= 5.68085e-007  A 6= 2.51185e-010  A 8= 5.19688e-014  
第19面
K =-4.37435e+002  A 4= 1.00143e-005  A 6=-1.61464e-008  A 8= 2.99969e-011  
各種データ
ズーム比      5.00 
広角     中間     望遠
焦点距離      15.00    35.00    75.00  
Fナンバー      3.00     3.00     3.00  
半画角        46.03    23.96    11.71  
像高          15.55    15.55    15.55  
レンズ全長   300.20   300.20   300.20  
BF            33.54    33.54    33.54  
d18            0.99    21.34    32.89  
d25           32.46     9.59     1.98  
d28            2.70     5.23     1.28  
入射瞳位置    50.74    66.16    86.04  
射出瞳位置  -158.40  -158.40  -158.40  
前側主点位置  64.57    94.78   131.73  
後側主点位置  18.54    -1.46   -41.46  
ズームレンズ群データ
群  始面    焦点距離  レンズ構成長  前側主点位置  後側主点位置
1    1      32.00       116.42        59.75         30.90
2   19     -18.80        18.79         3.92        -10.58
3   26     -50.00         3.63        -0.04         -2.03
4   29      40.41        91.68        23.49       -102.31
【００７７】
数値実施例３
単位 mm
面データ
面番号      r         d        nd        vd       θgF     有効径   焦点距離
1     1169.97001   3.20000  1.772499   49.60    0.5521     96.196    -86.637
2       63.51741  23.65253                                 81.952           
3     -120.65898   2.70000  1.772499   49.60    0.5521     81.536   -153.974
4    12736.29646   0.19644                                 83.190           
5      137.03668   5.93946  1.922860   20.88    0.6282     85.308    253.532
6      318.82080   1.99862                                 84.987           
7      271.65559  14.52319  1.620411   60.29    0.5426     84.829    126.774
8*    -109.03750   0.19636                                 84.334           
9     1217.78701  11.61409  1.496999   81.54    0.5374     78.550    168.129
10      -89.71276   2.50000  1.800000   29.84    0.6017     78.057   -155.348
11     -320.04558   7.41270                                 77.803           
12      112.52390   2.50000  1.737999   32.26    0.5899     76.449   -159.641
13       57.21267  18.30702  1.496999   81.54    0.5374     73.743     97.085
14     -280.48528   0.20000                                 73.551           
15      101.84132   9.22993  1.537150   74.81    0.5390     71.243    165.923
16     -709.19180   0.20000                                 70.430           
17       83.33061   5.90316  1.790000   45.50    0.5720     64.795    195.921
18      173.80844    (可変)                                 63.045           
19*      61.54916   1.20000  1.882997   40.76    0.5667     29.211    -28.504
20       17.77319   5.41316                                 24.205           
21     -159.39579   4.20515  1.846660   23.78    0.6034     24.051     32.622
22      -24.02808   0.70000  1.772499   49.60    0.5521     23.552    -36.395
23     -162.83076   2.58431                                 22.313           
24      -23.84544   0.70000  1.729157   54.68    0.5444     22.322    -29.063
25      200.55833   0.16000                                 24.087           
26       58.45160   4.05153  1.654115   39.70    0.5737     25.225     47.356
27      -64.90617    (可変)                                 25.690           
28      -33.60198   0.90000  1.651597   58.55    0.5426     26.193    -40.205
29      122.39841   2.45535  1.808095   22.76    0.6307     28.396    116.449
30     -422.01783    (可変)                                 28.992           
31(絞り)    ∞      1.29499                                 35.175           
32      937.43324   4.48116  1.754998   52.32    0.5476     36.289     74.579
33      -60.07159   0.20000                                 36.843           
34       68.90288   5.17787  1.618000   63.33    0.5441     38.045     80.550
35     -176.59285   0.20000                                 37.907           
36       76.80512   5.15355  1.496999   81.54    0.5374     36.900     95.188
37     -121.35769   1.20000  2.001000   29.13    0.5997     36.351    -94.686
38      451.54241   0.19951                                 35.813           
39       43.80046  10.46440  1.516330   64.14    0.5352     34.809     48.610
40      -54.46084   1.10000  1.772499   49.60    0.5521     32.722    -43.222
41       88.14685  23.84474                                 31.202           
42       49.48699   4.85470  1.487490   70.23    0.5300     25.163     49.788
43      -46.40636   0.19996                                 25.061           
44       28.21280   5.77563  1.487490   70.23    0.5300     23.317     34.245
45      -38.45968   1.00000  2.000690   25.46    0.6133     22.439    -15.479
46       26.68305   2.54412                                 21.327           
47      271.15033   6.98468  1.808095   22.76    0.6307     21.567     19.111
48      -16.36352   1.00000  1.882997   40.76    0.5667     22.077    -17.554
49      339.47363   7.60841                                 23.513           
50       35.22725   4.97126  1.487490   70.23    0.5300     29.657     67.719
51     -529.25312  37.90000                                 29.720           
像面        ∞   
非球面データ
第8面
K = 7.46975e-001  A 4= 1.99891e-007  A 6= 6.90199e-011  A 8=-1.88943e-013  A10= 2.85379e-016  A12=-2.31761e-019  A14= 9.51659e-023  A16=-1.55553e-026  
第19面
K = 5.13907e+000  A 4= 1.02312e-006  A 6=-1.14340e-008  A 8= 4.59324e-011  A10=-3.79212e-013  A12= 1.38269e-015  A14=-1.51499e-018  A16=-1.86650e-021  
各種データ
ズーム比      8.00 
広角     中間     望遠
焦点距離      20.00    60.00   160.00  
Fナンバー      2.80     2.80     3.60  
半画角        37.87    14.53     5.55  
像高          15.55    15.55    15.55  
レンズ全長   310.03   310.03   310.03  
BF            37.90    37.90    37.90  
d18            0.69    30.37    44.35  
d27           41.14     7.95     5.96  
d30            9.40    12.91     0.93  
入射瞳位置    59.82   110.55   190.03  
射出瞳位置   -86.03   -86.03   -86.03  
前側主点位置  76.59   141.50   143.45  
後側主点位置  17.90   -22.10  -122.10  
ズームレンズ群データ
群  始面    焦点距離  レンズ構成長  前側主点位置  後側主点位置
1    1      52.10       110.27        60.89         19.92
2   19     -21.50        19.01         2.12        -12.13
3   28     -62.00         3.36        -0.27         -2.18
4   31      37.40        88.25         8.75        -74.61
【００７８】
数値実施例４
単位 mm
面データ
面番号      r         d        nd        vd       θgF     有効径   焦点距離
1      133.81883   3.00000  1.772499   49.60    0.5521     90.057    -87.880
2       44.73925  23.87215                                 72.971           
3     -167.36766   2.50000  1.772499   49.60    0.5521     72.606    -93.032
4      127.84286   1.91426                                 72.647           
5      102.37636   7.51980  1.922860   20.88    0.6282     74.470    169.653
6      279.42399   1.64636                                 74.063           
7*     150.90630   8.70581  1.620411   60.29    0.5426     74.022    160.132
8     -287.65662   8.66215                                 73.699           
9      164.35762   9.37868  1.595220   67.74    0.5442     73.882    157.795
10     -216.26086   0.20000                                 73.584           
11      134.40933   2.00000  1.882210   23.78    0.6036     69.914    -94.024
12       51.24522  16.88046  1.438750   94.93    0.5343     65.990     98.740
13     -256.15857   0.20000                                 66.035           
14       86.69121  12.31733  1.770000   54.50    0.5550     65.245     73.671
15     -155.91296    (可変)                                 64.209           
16*      42.60200   1.20000  1.834807   42.71    0.5642     31.339    -35.032
17       17.17444   7.78247                                 25.592           
18      -44.84220   0.80000  1.729157   54.68    0.5444     25.316    -33.000
19       52.81240   1.69099                                 24.142           
20       40.60240   3.82252  1.846660   23.78    0.6034     23.802     36.560
21     -129.97366   2.63029                                 23.556           
22      -24.87045   0.90000  1.834807   42.71    0.5642     23.531   -115.791
23      -33.97396    (可変)                                 24.204           
24      -27.10392   0.80000  1.639999   60.08    0.5370     24.578    -35.634
25      149.20046   2.54968  1.808095   22.76    0.6307     26.593    104.102
26     -195.97886    (可変)                                 27.185           
27(絞り)    ∞      1.71552                                 28.120           
28     -466.88719   2.95712  1.772499   49.60    0.5521     29.050     97.620
29      -65.37333   0.20000                                 29.600           
30      264.38094   4.09823  1.589130   61.14    0.5406     30.292     77.252
31      -54.91610   0.20000                                 30.505           
32       72.98468   5.78813  1.516330   64.14    0.5352     30.050     52.941
33      -42.77332   1.20000  2.000690   25.46    0.6133     29.708    -44.919
34     -758.89691   0.91730                                 29.782           
35       29.21503   3.28414  1.516330   64.14    0.5352     29.785    178.749
36       41.03538  23.25738                                 29.059           
37       64.82994   0.90000  1.953750   32.32    0.5898     24.567    -36.795
38       22.72058   6.11702  1.808095   22.76    0.6307     24.367     22.735
39      -89.12908   1.72046                                 24.427           
40       47.08069   5.42141  1.438750   94.93    0.5343     23.755     43.655
41      -31.28624   1.00000  1.805181   25.42    0.6161     23.307    -19.730
42       33.35913  10.29550                                 23.076           
43       35.83585   7.33475  1.487490   70.23    0.5300     29.594     44.835
44      -52.71959   1.20000  1.834000   37.16    0.5775     29.689   -130.968
45     -102.35803  40.04000                                 30.020           
像面        ∞   
非球面データ
第7面
K =-1.31886e+001  A 4=-3.33339e-007  A 6=-1.00548e-011  A 8= 1.93377e-014  A10=-5.83498e-017  A12= 1.05163e-019  A14=-7.28030e-023  A16= 1.81611e-026  
第16面
K =-6.82246e+000  A 4= 1.53646e-005  A 6=-1.26474e-008  A 8= 3.57838e-011  A10=-2.67322e-013  A12= 2.11682e-015  A14=-7.89376e-018  A16= 1.19021e-020  
各種データ
ズーム比      5.00 
広角     中間     望遠
焦点距離      19.00    45.00    95.00  
Fナンバー      2.70     2.70     2.70  
半画角        39.30    19.06     9.30  
像高          15.55    15.55    15.55  
レンズ全長   277.64   277.64   277.64  
BF            40.04    40.04    40.04  
d15            0.70    22.76    34.43  
d23           28.12     6.05     3.57  
d26           10.20    10.21     1.02  
入射瞳位置    56.04    85.75   122.55  
射出瞳位置  -103.97  -103.97  -103.97  
前側主点位置  72.53   116.69   154.88  
後側主点位置  21.04    -4.96   -54.96  
ズームレンズ群データ
群  始面    焦点距離  レンズ構成長  前側主点位置  後側主点位置
1    1      45.00        98.80        57.31         21.16
2   16     -24.80        18.83         2.46        -13.14
3   24     -55.00         3.35        -0.46         -2.37
4   27      40.26        77.61        19.72        -65.31
【００７９】
数値実施例５
単位 mm
面データ
面番号      r         d        nd        vd       θgF     有効径   焦点距離
1*      81.52156   2.80000  1.772499   49.60    0.5521     97.279    -83.251
2       35.50574  31.30681                                 70.026           
3      667.71915   2.20000  1.772499   49.60    0.5521     68.022   -135.261
4       90.59457   4.47839                                 64.610           
5      197.06072   2.20000  1.834807   42.71    0.5642     64.321    -66.614
6       43.33682  11.33919  1.922860   18.90    0.6495     60.874     69.654
7      113.32971   2.55719                                 59.842           
8      115.11681   9.51685  1.496999   81.54    0.5374     59.385    153.156
9*    -220.41107   0.20000                                 58.068           
10      185.45912   9.63439  1.618000   63.33    0.5441     57.517     91.373
11      -80.00592   2.00000  1.846660   23.78    0.6205     57.026   -103.318
12     -857.68120   5.60166                                 56.350           
13     -547.42488   2.00000  1.846660   23.78    0.6205     55.107    -95.810
14       96.50030   8.54469  1.496999   81.54    0.5374     56.048    126.294
15     -175.74550   0.20000                                 56.723           
16      248.42762  12.85098  1.595220   67.74    0.5442     58.081     80.834
17      -58.77230   0.20000                                 58.452           
18       56.55329   6.43207  1.763850   48.51    0.5587     50.476     91.827
19      271.97337    (可変)                                 49.270           
20*      75.52289   1.30000  1.816000   46.62    0.5568     27.970    -25.770
21       16.38581   7.94998                                 22.551           
22      -35.35061   0.90000  1.754998   52.32    0.5476     20.890    -28.150
23       54.49701   0.20000                                 20.318           
24       38.34698   4.04203  1.846660   23.78    0.6034     20.314     27.246
25      -56.47379   2.18661                                 19.859           
26      -20.15327   0.90000  1.882997   40.76    0.5667     19.635    -76.243
27      -29.29552    (可変)                                 20.447           
28      -28.24173   0.90000  1.729157   54.68    0.5444     21.748    -31.883
29      136.58830   2.26264  1.846660   23.78    0.6205     23.610     90.643
30     -177.80079    (可変)                                 24.238           
31(絞り)    ∞      1.80831                                 26.366           
32     1876.46717   5.41221  1.816000   46.62    0.5568     27.823     37.988
33      -31.64154   0.20000                                 28.604           
34       60.10061   8.24256  1.496999   81.54    0.5374     28.186     38.709
35      -27.12183   1.20000  2.001000   29.13    0.5997     27.594    -34.449
36     -126.12274   0.20000                                 28.202           
37       27.44643   3.25073  1.612929   37.00    0.5862     28.528    139.096
38       38.53198  22.34855                                 27.776           
39     -524.12330   5.21590  1.517417   52.43    0.5564     24.011    121.284
40      -56.46271  11.54753                                 24.632           
41      111.79736   8.05123  1.496999   81.54    0.5374     24.704     33.474
42      -19.14232   0.85000  1.953750   32.31    0.5898     24.498    -25.679
43      -87.28015   3.16563                                 25.890           
44      436.69471   5.32440  1.959060   17.47    0.6599     27.387     38.954
45      -41.20307   0.85000  2.001000   29.13    0.5997     27.768    -24.479
46       62.31899   0.38161                                 28.514           
47       43.43683   7.60385  1.496999   81.54    0.5374     29.721     43.773
48      -41.28677   0.00000                                 30.288           
像面        ∞      41.02000
非球面データ
第1面
K = 1.15930e+000  A 4= 3.25637e-007  A 6=-7.92964e-012  A 8= 8.93227e-015  
第9面
K =-4.96791e+001  A 4= 8.83515e-007  A 6= 5.16367e-010  A 8= 5.70862e-014  
第20面
K = 8.19089e+000  A 4= 5.61681e-006  A 6=-9.29022e-009  A 8= 2.78530e-011  
各種データ
ズーム比      4.00 
広角     中間     望遠
焦点距離      14.00    28.00    56.00  
Fナンバー      3.00     3.00     3.00  
半画角        48.00    29.05    15.52  
像高          15.55    15.55    15.55  
レンズ全長   297.27   297.27   297.27  
BF            41.02    41.02    41.02  
d19            1.00    17.72    28.94  
d27           32.19    13.50     4.68  
d30            2.70     4.67     2.27  
入射瞳位置    48.68    60.09    76.35  
射出瞳位置  -122.20  -122.20  -122.20  
前側主点位置  61.48    83.29   113.13  
後側主点位置  27.02    13.02   -14.98  
ズームレンズ群データ
群  始面    焦点距離  レンズ構成長  前側主点位置  後側主点位置
1    1      30.00       114.06        57.47         29.47
2   20     -19.00        17.48         2.47        -11.25
3   28     -50.00         3.16        -0.44         -2.20
4   31      37.44        85.65        20.00        -79.28
【００８０】
数値実施例６
単位 mm
面データ
面番号      r         d        nd        vd       θgF     有効径   焦点距離
1      194.96209   3.00000  1.772499   49.60    0.5521     88.491    -88.490
2       50.45050  23.69287                                 73.351           
3     -101.22704   2.50000  1.772499   49.60    0.5521     72.885   -111.690
4      610.40944   0.19704                                 74.054           
5      112.46576   6.06429  1.922860   18.90    0.6495     75.732    194.404
6      287.65098   4.86350                                 75.347           
7    -1837.00765   7.27013  1.651597   58.55    0.5426     75.086    230.062
8     -139.33725   0.20000                                 74.929           
9     -472.70380   4.65675  1.595220   67.74    0.5442     72.970    424.413
10     -165.62101   8.66201                                 72.465           
11     -192.35145   6.46656  1.537150   74.81    0.5390     66.913    268.083
12      -83.47137   0.99766                                 66.556           
13      -78.26046   2.50000  1.800000   29.84    0.6017     66.067   -270.007
14     -123.92169   0.20000                                 67.015           
15      144.80685   2.00000  1.846660   23.78    0.6034     66.705   -142.303
16       65.69817  13.00429  1.496999   81.54    0.5374     65.115    106.901
17     -263.45069   0.20000                                 65.049           
18      131.23177   9.46925  1.496999   81.54    0.5374     64.015    146.867
19     -161.59164   0.20000                                 63.356           
20       61.37933   6.25108  1.730000   49.00    0.5575     56.603    136.191
21      152.31744    (可変)                                 55.097           
22*     123.35380   1.20000  1.882997   40.76    0.5667     32.089    -28.857
23       21.12344   6.38054                                 26.928           
24     -167.62168   4.33940  1.846660   23.78    0.6034     26.240     54.777
25      -37.04472   0.80000  1.772499   49.60    0.5521     25.538    -98.748
26      -72.37210    (可変)                                 24.901           
27      -25.91341   0.80000  1.834807   42.71    0.5642     24.536    -28.139
28      270.81861   0.16000                                 24.869           
29       87.77809   3.31174  1.846660   23.78    0.6034     25.043     51.048
30      -85.31340    (可変)                                 25.023           
31      -31.89775   0.90000  1.696797   55.53    0.5433     25.027    -34.635
32      102.09398   2.46844  1.808095   22.76    0.6307     27.236     92.767
33     -290.19380    (可変)                                 27.788           
34(絞り)    ∞      1.28219                                 32.549           
35          ∞      5.00427  1.816000   46.62    0.5568     33.538     57.344
36      -47.02989   0.20000                                 34.253           
37      121.66426   4.00000  1.589130   61.14    0.5406     34.746    118.312
38     -162.68134   0.20000                                 34.670           
39       53.21128   7.67575  1.496999   81.54    0.5374     33.912     52.816
40      -49.60645   1.20000  1.846660   23.78    0.6205     33.197    -43.964
41      156.92657   0.19575                                 32.533           
42       24.49279   7.89416  1.518229   58.90    0.5456     32.141     61.163
43       94.58401   1.10000  1.772499   49.60    0.5521     30.289    -78.875
44       36.97714  21.17659                                 28.740           
45       55.51715   6.46969  1.805181   25.42    0.6161     22.663     21.616
46      -24.35459   0.90000  1.882997   40.76    0.5667     22.365    -19.627
47       62.39214   8.45794                                 22.051           
48      118.59896   6.86089  1.438750   94.93    0.5343     23.601     34.489
49      -17.08788   1.00000  2.003300   28.27    0.5980     23.707    -26.491
50      -48.53765   7.21499                                 25.917           
51       55.89004   6.66022  1.487490   70.23    0.5300     32.106     59.353
52      -58.04968  39.99000                                 32.395           
像面        ∞   
非球面データ
第22面
K = 3.15185e+001  A 4= 3.02637e-006  A 6=-5.86837e-009  A 8=-4.69891e-012  
移動軌跡データ
B21=40.35954  
B31=42.94793  B32= 3.88703  B33=-8.43442  B34= 3.38458  B35= 0.39726
B36= 0.38969
各種データ
ズーム比      6.50 
広角     中間     望遠
焦点距離      18.50    45.00   120.25  
Fナンバー      2.80     2.80     3.43  
半画角        40.05    19.06     7.37  
像高          15.55    15.55    15.55  
レンズ全長   300.07   300.07   300.07  
BF            39.99    39.99    39.99  
d21            0.68    25.34    41.04  
d26            2.39     4.03     4.61  
d30           39.84    10.82     3.22  
d33            6.92     9.65     0.98  
入射瞳位置    54.12    84.17   136.89  
射出瞳位置  -165.72  -165.72  -165.72  
前側主点位置  70.96   119.33   186.85  
後側主点位置  21.49    -5.01   -80.26  
ズームレンズ群データ
群  始面    焦点距離  レンズ構成長  前側主点位置  後側主点位置
1    1      46.00       102.40        59.41         25.26
2   22     -42.00        12.72        -2.77        -13.83
3   27     -67.00         4.27        -1.89         -4.39
4   31     -56.00         3.37        -0.33         -2.23
5   34      46.94        87.49        26.91       -102.68
【００８１】
【表１】
2015094865.tif 000005
【符号の説明】
【００８２】
Ｕ１  第１レンズ群、Ｕ２  第２レンズ群、Ｕ３  第３レンズ群、Ｕ４  第４レンズ群、Ｕ５  第５レンズ群、Ｉ  像面
【図１】
2015094865.tif 000006
【図２】
2015094865.tif 000007
【図３】
2015094865.tif 000008
【図４】
2015094865.tif 000009
【図５】
2015094865.tif 000010
【図６】
2015094865.tif 000011
【図７】
2015094865.tif 000012
【図８】
2015094865.tif 000013
【図９】
2015094865.tif 000014
【図１０】
2015094865.tif 000015
【図１１】
2015094865.tif 000016
【図１２】
2015094865.tif 000017
【図１３】
2015094865.tif 000018